(57)【特許請求の範囲】
【請求項１】
注出筒と、この注出筒の内部に位置して、破断可能な薄肉部で囲まれた開口予定部を有して注出筒の内部を閉鎖する閉鎖板と、前記開口予定部に取り付けられているプルリングと、注出筒の上部開口を開閉可能に覆うキャップと、液体収容体への取付部とを備える液体容器用注出口栓において、
前記閉鎖板における開口予定部は注出筒の径方向を長手とした非円形状とされ、前記開口予定部の周りの開口外周板部から注出筒の内周面下端に亘って注出筒の高さ方向に沿う整流板が一体にして設けられて、前記整流板が注出筒の内周面方向に間隔を置いて複数にして配置されており、
前記注出筒の外方でこの注出筒との間に間隔を置いた位置にして立ち上げられた支持体に、前記キャップが回動自由にして連結されていて、
前記支持体の注出筒とは反対側となる面に、注出筒の上部開口を開いて注出筒とは反対側に回動したときのキャップを注出筒から離間した位置で係脱可能に係止させて保持する保持手段が設けられていることを特徴とする液体容器用注出口栓。
【請求項２】
上記注出筒と上記支持体との間に、収容物詰め替え相手の容器の口部の周壁が挿入可能な差し込み空間部が設けられている請求項１に記載の液体容器用注出口栓。
【発明の詳細な説明】
【技術分野】
【０００１】
本発明は液体を収容する容器、例えばシートを重ね合わせたスタンディングパウチタイプなどの変形自由な液体容器に取り付けられる注出口栓に関するものである。
【背景技術】
【０００２】
従来からスタンディングパウチタイプなどの柔軟な包装材料で成形された液体容器があり、ボディーソープやリンスなどのトイレタリー製品では詰め替え分がこのような液体容器に収容して販売されている。そして近年にあっては、詰め替え用として比較的大容量（例えば１〜２リットル）の柔軟な液体容器に充填した商品が多く流通するようになってきている。
【０００３】
また、スタンディングパウチタイプなどの液体容器では、液体を注ぎ出し易くするために容器上部の隅に、別成形された合成樹脂製の注出口栓を取り付けたものも多くある。この種の注出口栓は容器本体の包材に熱溶着や超音波溶着によって取り付けられていて、例えば注出筒と、この注出筒の上部開口に被せ付けるねじ付け式のキャップと、注出筒の下部に一体で容器包材に挟み込みし易い形状とされた舟形にして容器上部に熱溶着や超音波溶着される取付部とからなるものがある。
【０００４】
ところで、内容量を大きくした液体容器では、この容器に収容物を充填した製品が工場出荷されてからホームセンタなどの店舗で販売される流通段階において、注出口栓から収容物が漏れ出るのを確実に防止する必要がある。さらに購入者側が未使用の製品容器の取り扱いに不慣れであって不用意にキャップを取り外した場合でも、やはり安全策として注出口栓から収容物が流れ出ないようにする必要がある。この点から内容量が大きくスタンディングパウチなどの柔軟なシートからなる液体容器では、注出筒の内部が閉鎖板で塞がれていてその閉鎖板の一部にプルリングを引っ張ることで取り除きできる開口予定部を設けた構造の注出口栓が有効である。
【０００５】
また、トイレタリー製品などの詰め替え分が充填された上記液体容器は、詰め替える相手の専用容器に比べても容量が大きくなってきており、使用者が液体容器から専用容器へ移し替えるには二、三回に分けて行なうようになる。そして、液体容器から収容物を注出する場合、ブロー容器の注出時のような脈動は生じないが大気圧を受けて潰れるように容器自体が変形し、この変形した容器内部の形状に沿った乱れた流れのまま収容物が注出口栓に流れ込み、注出筒の上部開口からの流れの方向が安定しないという状態が詰め替えの都度生じている。
【０００６】
さらに、詰め替えをするごとにキャップの取り付け、取り外しを行ない、収容物が残っているときにはキャップで注出筒の上部開口を閉じて液体容器を保管することになるが、キャップの取り付けと取り外しを繰り返すためにキャップを紛失し易いという問題がある。この紛失に対しては、セルフヒンジにてキャップを一体に備えている一般的な注出口栓の構造のように注出筒の上部にキャップを回動可能にして連結することが有効である。
【０００７】
しかし、詰め替え作業にて液体容器側の収容物が少なくなってきたときには、変形した液体容器の内部で液残りしないように容器全体を逆さまにして注出筒の上部をその専用容器の口部の内側に入れるようにするが、上述したごとく注出筒の上部にキャップを連結した構造としてしまうと、キャップが邪魔になって注出筒を専用容器の口部に入れることができなくなってしまう。そのため、キャップを注出筒の上部開口側に連結した構成とすることができず、上述したキャップの紛失が生じ易いという問題が解決できない。
【０００８】
注出口栓に対しては従来から数々の工夫が提案されており、上述した不具合への対策として検討を行なうことができる。例えば特許文献１にあっては、注出口栓の内筒部に薄肉平板状のフィンを一体に設けた点が示されていて、注出筒を流れる収容物を整流させる上でフィンの利用が検討できる。
【０００９】
また、特許文献２にあっては、注出口栓の注出筒に連結されているキャップをその注出筒の外面側に深く折り返して仮止めできるようにした点が示されているが、キャップの紛失に対する対策としてこの特許文献２に示された技術の利用が検討できる。
【先行技術文献】
【特許文献】
【００１０】
【特許文献１】実開平０３−０７２６５５号公報
【特許文献２】特開２０１４−１０８８０９号公報
【発明の概要】
【発明が解決しようとする課題】
【００１１】
しかしながら、特許文献１で示されている工夫にあっては、整流手段となるフィンそれぞれが可動可能な形状であるため、注出される収容物の流れの乱れを抑え込むことができないという問題が生じる。
【００１２】
また、特許文献２に示されている工夫にあっては、キャップを仮固定したときにはそのキャップが注出口栓の注出筒の外周面に添え付けた状態となり、注出口栓を上記専用容器の口部の中に挿し入れできない。そのため、注出口栓を専用容器の口部に近接させた状態で注出するが、前述したようにフレキシブルな液体容器に取り付けられた注出口栓では、特にキャップを着脱するタイプであることから口径が小さくされ、専用容器の口部に挿し入れるためにも口径を小さくした注出口栓では、容器本体（液体収容体）から口栓にかけての通路のせばまり方の変化が大きく、このため注出筒の上部開口からの流れが乱れ易く、簡単にして安全に収容物の移し替えができないという問題が生じる。
【００１３】
そこで本発明は上記事情に鑑み、柔軟な包装材料から成形された液体容器に取り付けられる注出口栓において、収容物を詰め替えるときに収容物の流れが乱れないようにすることを課題とし、専用容器の口部に近付けたり挿し入れたりして詰め替えが行なえるキャップ付きの注出口栓を提供することを目的とするものである。
【課題を解決するための手段】
【００１４】
（請求項１の発明）
本発明は上記課題を考慮してなされたもので、注出筒と、この注出筒の内部に位置して、破断可能な薄肉部で囲まれた開口予定部を有して注出筒の内部を閉鎖する閉鎖板と、前記開口予定部に取り付けられているプルリングと、注出筒の上部開口を開閉可能に覆うキャップと、液体収容体への取付部とを備える液体容器用注出口栓において、
前記閉鎖板における開口予定部は注出筒の径方向を長手とした非円形状とされ、前記開口予定部の周りの開口外周板部から注出筒の内周面下端に亘って注出筒の高さ方向に沿う整流板が一体にして設けられて、前記整流板が注出筒の内周面方向に間隔を置いて複数にして配置されており、
前記注出筒の外方でこの注出筒との間に間隔を置いた位置にして立ち上げられた支持体に、前記キャップが回動自由にして連結されていて、
前記支持体の注出筒とは反対側となる面に、注出筒の上部開口を開いて注出筒とは反対側に回動したときのキャップを注出筒から離間した位置で係脱可能に係止させて保持する保持手段が設けられていることを特徴とする液体容器用注出口栓を提供して、上記課題を解消するものである。
【００１６】
（請求項２の発明）
また、本発明においては、上記注出筒と上記支持体との間に、収容物詰め替え相手の容器の口部の周壁が挿入可能な差し込み空間部が設けられていることが良好である。
【発明の効果】
【００１７】
（請求項１の発明の効果）
請求項１の発明によれば、開口予定部の周りの開口外周板部から注出筒の内周面下端に亘って注出筒の高さ方向に沿う整流板が、注出筒の内周面方向に間隔を置いて配置されているので、整流板が開口外周板部と注出筒との両者に一体となっており、整流板それぞれが動くことがない。そのため、注出口栓が取り付けられた液体容器から収容物を注出するときに容器側から乱れた状態で収容物が注出口栓に流れ込んでも整流板によって乱れが抑えられ、注出筒の上部開口から流れが安定して収容物が注出されるようになり、収容物の注出の方向が定まらないということが生じない。
【００１８】
また、キャップ自体は注出口栓に連結されているので、収容物の詰め替えを繰り返してもキャップの紛失を確実に防止することができる。
【００１９】
さらに、この注出口栓が取り付けられた液体容器から収容物を相手容器に詰め替えるときにはその液体容器を大きく傾けて収容物を注出させることになるが、キャップ自体を注出筒から離すことができ、収容物の注出に際してキャップが邪魔になることがない。
【００２０】
（請求項２の発明の効果）
請求項２の発明によれば、この注出口栓が取り付けられた液体容器から収容物を相手容器に詰め替えるときに、相手容器の口部の周壁を支持体と注出筒との間に位置させることで、注出口栓の注出筒自体が相手容器の口部の内側に入った状態で相手容器に支持されるようになり、液体容器を逆さまにした場合にもその液体容器を簡単に支えることができる。
【図面の簡単な説明】
【００２１】
【図１】本発明に係る液体容器用注出口栓の実施の一例を示すもので、キャップ閉時を斜め上方から見た状態で示す説明図である。
【図２】一例のキャップ開時を支持体側の斜め上方から見た状態で示す説明図である。
【図３】キャップを開いた一例を示すもので、（ａ）は上方から見た状態を示す説明図、（ｂ）は取付部長手方向に沿った立断面を示す説明図、（ｃ）は下方から見た状態を示す説明図である。
【図４】一例における閉鎖板を示すもので、（ａ）は閉鎖板を上方から見た状態を示す説明図、（ｂ）は開口予定部長手方向に直交する方向に沿った立断面を示す説明図、（ｃ）は閉鎖板を下方から見た状態で示す説明図である。
【図５】キャップ閉時の一例を示すもので、（ａ）は開口予定部の長手方向での一方から見てキャップ一部を切り欠いた状態での側面を示す説明図、（ｂ）は開口予定部の短手方向から見た側面を示す説明図、（ｃ）は開口予定部の長手方向での他方から見た側面を示す説明図である。
【図６】一例におけるキャップの開方向の回動と保持手段によるキャップの保持を示す説明図である。
【図７】液体容器を傾けて収容物の注出を行なう状態を示す説明図である。
【図８】一例での注出筒を相手容器の口部に入れた注出状態を示す説明図である。
【図９】同じく一例での注出筒を相手容器の口部に入れた状態を断面で示す説明図である。
【図１０】連結帯の変形例を示す説明図である。
【図１１】同じく連結帯の変形例を示すもので、（ａ）は変形例での連結帯を示す説明図、（ｂ）は帯端部を平面半月状とした例を示す説明図、（ｃ）は帯端部を平面台形状とした例を示す説明図である。
【図１２】他の実施の例を示す説明図である。
【発明を実施するための形態】
【００２２】
つぎに本発明を図１から図１２に示す実施の形態に基づいて詳細に説明する。図中１は液体容器用の注出口栓で、フレキシブルで変形自由な液体容器、例えばシートを重ね合わせてシートの対向する辺部をヒートシールしたスタンディングパウチなどの液体容器（液体収容体）に取り付けられる合成樹脂製の口栓であり、液体容器には熱溶着や超音波溶着によって取り付けられるものである。
【００２３】
図３に示すように上記注出口栓１は、注出筒２と、この注出筒２の内部に配された板状の閉鎖板３と、閉鎖板３に取り付けられているプルリング４と、注出筒２の上部開口５を開閉可能に覆うキャップ６と、前記注出筒２の下部に位置し、注出筒２の内部と連続する流入口７を開口している取付部８とを一体にして備えてなるものである。そしてこの注出口栓１は、スタンディングパウチの上部一隅のシート辺に挟み込まれるようにして取り付ける口栓であり、前記取付部８は二面のシート辺の間に挟み込みされるように溶着部分８ａを舟型の形状に形成され、溶着部分８ａの嵩高についてはスタンディングパウチの包材シール辺部に応じた高さ寸法を備え、溶着部分８ａの周面は超音波溶着に応じた表面形状に仕上げられている。（図１、２参照）
【００２４】
注出筒２の内部に配された閉鎖板３は、この注出口栓１が取り付けられて収容物が充填された液体容器に対して開封操作をするまでの間、注出筒２の内部を閉鎖する。そして閉鎖板３は破断可能な薄肉部で囲まれた開口予定部９を有して、この開口予定部９に前記プルリング４が一体に形成されており、必要時にプルリング４を引っ張ることで薄肉部が破断して開口予定部９が取り外され、収容物を流し出すことのできる開口が形成される。なお、プルリングを引いて開口を形成する点については、通常のプルリングを有する注出口栓と同じである。
【００２５】
（閉鎖板での開口）
本実施の形態の注出口栓１においては、この注出口栓１が取り付けられた液体容器を上述のように開封した後から収容物を注ぎ出すときに、収容物の流れがまとまりのある流れとなるようにし、注出の作業がやり易くなるように図られている。まずその一つとして上記開口予定部９の形状に工夫が施されている。
【００２６】
開口予定部９は平面形状が非円形状とされており、注出筒２の径方向を長手とした略長円状としている。そして、注出口栓１を取り付けた液体容器から注出する際の容器を倒す方向に沿う方向が、開口予定部９の長手となる方向としている。図４（ａ）は閉鎖板３を上記プルリングを省いて上方から見た状態で示し、（ｂ）は開口予定部９の短寸方向に沿った断面の状態で示し、（ｃ）は閉鎖板３を下方から見た状態で示している。図に示されているように開口予定部９は、前記液体容器を倒すときの上方側を小円形状とするとともに下方側を大円形状にし小円形状とする部分と大円形状とする部分とがオーバーラップした形状に形成されている。
【００２７】
そして、上記プルリング４を引っ張って開口予定部９を取り外すようにすることで、小円形状とする部分と大円形状とが重なった形状の開口が得られるようにしている。なお、開口予定部９を取り除くことで形成される開口の形状は、液体容器を傾けるときの方向に沿った方向が長手となる形状であることが良好であるが、開口縁の形状、即ち開口形成部９の外周形状がこの実施の例で説明した形状に限定されるものではない。
【００２８】
（整流板）
また、本実施の例における注出口栓１においては、注出の作業がやり易くなるようにするつぎの工夫も施されているものである。図中１０は整流板で、該整流板１０は液体容器を傾けて収容物を注ぎ出す時に、流入口７に入り込んでくる収容物の流れの乱れを抑えて整流し、上部開口５から収容物がまとまった流れで安定して流れ出るようにする役割を有する板である。
【００２９】
整流板１０は上記開口予定部９の周りの開口外周板部１１から注出筒２の内周面下端に亘って注出筒２の高さ方向に沿うようにして設けられ、注出筒２の内周面方向に間隔を置いて複数にして配置されている。整流板１０それぞれは上端が前記開口外周板部１１の裏面に連続して一体となっているとともに、開口予定部９と開口外周板部１１との間の薄肉部位置に近接する位置まで注出筒２の内周面から注出筒２の内中心に向けて張り出ている。さらに整流板１０は下端までが注出筒２の内周面と一体となっており、図３（ｂ）、図４（ｂ）に示すようにそれぞれの注出筒中心側の側辺が、前記薄肉部位置から注出筒２の内周面下端に向けて傾斜した状態とされている。
【００３０】
このように複数の整流板１０が注出筒２の内周面と開口外周板部１１とに跨って注出筒２に対し一体にして形成されていることから、整流板１０それぞれは変形せず、剛性が高い板となっている。そのため、液体容器を傾けて収容物を注出する際に、この液体容器が大気圧からの圧力を受けて潰れるように変形し、その変形の影響を受けて流れが乱れた状態で収容物が注出口栓１の流入口７に流れ込むこととなっても、その乱れた流れに合せて整流板１０が撓むような変形を起こすことは無い。
【００３１】
そして整流板１０が剛性が高く撓みなどの変形を生じないので、乱れた流れの状態で流入口７から整流板１０の位置に到達した収容物を、乱れた状態の流れのまま開口（開封して形成された開口）へと通過させることはせずにその流れの乱れを抑えて、まとまりのある流れにして前記開口を通過させるようになる。よって注出筒２の上部開口５からは方向の定まった流れとして収容物が注出され、容器の変形の影響を受けて注出の方向が定まらなくなるということを防止できる。
【００３２】
（キャップ）
図５はキャップ６で注出筒２の上部開口５を閉じた状態を表していて、この図５に示されているようにキャップ６は注出筒２に直接に連結されているものではなく、注出筒２から離間した位置にある支持体１２の上端に、柔軟な薄肉板状の連結帯１３を介して回動自由にして連結されていて、この支持体１２に支持された状態でキャップ６が注出筒２の上部開口５に被せ付けることができるように設けられている。
【００３３】
支持体１２は、図３（ｂ）に示すように注出筒２の外周面において上記閉鎖板３の高さ位置より下位となる高さ位置から注出筒２の径方向外方に向けて延設した横板１４と、この横板１４から注出筒高さ方向上方に向けて立ち上がる縦板１５とで略Ｌ字状に屈曲した形状に形成されていて、縦板１５が下方にも延設されて取付部８の上面に達してこの取付部８に一体ともなっている。また横板１４は、注出口栓１の係止搬送などに利用するために注出筒２の外周回りで外方に向けて張り出ている係止リブ１６の一部としても構成されている。
【００３４】
上記支持体１２は開口予定部９の長手方向での一方であって、注出口栓１を取り付けた液体容器を注出に際して傾けるときの上方となる側に位置しており、キャップ６を開いたときにはキャップ６が注出筒２から離れるとともに、前記注出で容器を傾けたときの上方となる側にキャップ６が回動できるようにしている。
【００３５】
本実施の形態においては、注出する収容物の流れを邪魔しない位置にキャップ６を着脱可能に仮固定することができるように設けられている。図２に示すように上記支持体１２の縦板１５の注出筒２とは反対側となる面に保持手段１７が一体にして配置されていて、この保持手段１７が上部開口５を開いて注出筒２とは反対側に回動したときのキャップ６を注出筒２から離間した位置で保持するように設けられている。（図２、図３、図５〜図９参照）
【００３６】
上記保持手段１７は縦板１５から外方に突堤１８を突設させ、その先端縁を厚肉にして上方に凸の厚肉部１９を配置して縦断面形状を鈎形状にしてなるものである。そして図６と図９に示すように、支持体１２の縦板１５の注出筒２とは反対となる面側に開いたキャップ６の上面側に一体に備える突堤状の受け部２０と、前記保持手段１７とが係脱可能に係止することで、保持手段１７が、キャップ６を動くことの無いように保持し、注出する収容物の流れを、開いたキャップ６が邪魔しないように図られている。
【００３７】
（差し込み空間部）
図７は液体容器２１を傾けて収容物の注出を行なう状態が示されていて、注出する収容物が少なくなってきた場合、注出口栓１自体を相手容器の口部の内部に入れて注出を行なうようにすれば、液体容器からの詰め替えの操作が簡単になると考えられる。この点の工夫を備える本実施の例による注出の例が図８と図９とに示されていて、注出口栓１を相手容器２２（専用容器）の口部２３に入れた状態を示している。
【００３８】
実施の例の注出口栓１では、液体容器２１を逆さまにして上下が反対となった注出筒２が相手容器２２の口部２３の内側に安定して位置させる工夫が施されていて、図３（ｂ）、図９に示すように注出筒２と支持体１２の縦板１５とが離れている間に、相手容器２２の口部２３の周壁が挿入可能な差し込み空間部２４が設けられている。このように前記差し込み空間部２４を注出筒２の外周部分に形成しているので、収容物を注ぎ出している途中などで液体容器２１を逆さまにしながら前記差し込み空間部２４に相手容器２２の口部２３の一部分を挿入させ、支持体１２の横板１４に前記口部２３を当接させることで、液体容器側の重さを相手容器２２に支持させることにもなり、詰め替えの操作が頗る簡単なものとなる。
【００３９】
上述の例においてはキャップ６と支持体１２とを繋ぐ連結帯１３の長さは短かくセルフヒンジの形態を構成しているが、キャップ６を上記注出筒２に深く被せ付ける形態を採るなどの場合では連結帯１３の長さを長くすることがある。図１０はその例を表現していて、支持体１２にキャップ６を連結する連結帯１３の部分を示している。なお、図１０では長い連結帯１３の説明を容易にするために上記保持手段１７と受け部２０との図示は省略している。
【００４０】
上記実施の例と同様に連結帯１３自体は一方の帯端部２５が支持体１２に繋がり、他方の帯端部２５がキャップ６に繋がっており、両帯端部２５の間にこの連結帯１３の主体部分となる帯板部２６が位置する。そして、連結帯１３が開いた状態（キャップ開時）で帯板部２６は平板状とし、その平面形状を支持体キャップ連結方向に直交する方向を長手とする略長方形にしている。また、帯端部２５それぞれは帯板部２６に沿った方向での断面が略三角形状で連続している。
【００４１】
キャップ６の開け閉めの操作を行なっているときに長さがある程度存在する連結帯１３にひねり（ひねりの方向を図１０矢印で示す）が加わる場合が多いが、連結帯１３の帯板部２６を略長方形としている場合、図１１（ａ）で示すように、ひねり時の折れ位置Ｘと折れ位置Ｙとの帯板部外方側での開き角θが狭く、ひねることのできる度合が小さい。そのため、キャップ６の開け閉め操作時にひねりが加わるようなことが多くなると、連結帯１３の局所に応力が集中するなどして切れが生じ易くなる。このようなことから、連結帯１３に切れが生じないように注出口具の成形材料の選定や、連結帯１３の厚みの設計を考慮しなければならず、材料選定や連結帯の厚み設計に自由度が小さくなる可能性がある。
【００４２】
そこで、連結帯１３について、図１１（ｂ）、（ｃ）にひねりに対する適応範囲を広くした変形例を示した。図１１（ｂ）に示す変形例では、帯端部２５それぞれを帯板部２６の中央位置で対向する配置として平面形状を略半月状としており、帯端部２５の支持体キャップ連結方向に直交する方向（帯板部２５の長手方向）での側方部分に帯板部２５の一部分が延設されているようにしている。また、図１１（ｃ）に示す変形例では、帯端部２５それぞれを帯板部２６の中央位置で対向する配置として平面形状を台形状としている。そして同様に帯端部２５の支持体キャップ連結方向に直交する方向での側方部分に帯板部２５の一部分が延設されているようにしている。
【００４３】
図１１に図示しているように、図１１（ａ）における帯板部２６の中央幅２６ａと、図１１（ｂ）、（ｃ）で示す変形例での中央幅２６ａとは同じとしている。そして、図１１（ａ）における帯板部２６の端部幅２６ｂ（２６ｂ＝２６ａ）に比べて、図１１（ｂ）、（ｃ）の変形例では、それぞれ端部幅２６ｂ′は広くしている（２６ｂ＜２６ｂ′）。このため、図１１（ｂ）の変形例の上記開き角θ′、及び図１１（ｃ）の変形例の上記開き角θ″は、図１１（ａ）の例での開き角θより大きくなり、図１１（ｂ）、（ｃ）の変形例の連結帯１３ではひねりに対する適応範囲が広くなって、切れ難くなるという効果がある。
【００４４】
なお、図１１（ｂ）の帯端部２５を略半月状とした変形例と、図１１（ｃ）の帯端部２５を台形状とした変形例とを比べると、その開き角θ′と開き角θ″とが同じであるとき、図１１（ｃ）の帯端部２５では直線状の平頭部分２５ａがあるので、この図１１（ｃ）の変形例ではややひねり難いものとなる。
【００４５】
（他の実施の例）
上記注出口栓１はスタンディングパウチタイプの液体容器に取り付けることができるように取付部８に舟型の溶着部分８ａを有するものとしたが、本発明は上記実施の例に限定されるものではない。注出口栓１を取り付ける液体容器は二枚の合成樹脂製シートの重ね合わせよりなる袋体であってもよいものであり、この例を図１２に示されていて、取付部８を円盤形状にしてこの取付部８を袋体の注出孔を有したシートに予め超音波溶着にて取り付けるものとすることも可能である。
【符号の説明】
【００４６】
１…注出口栓
２…注出筒
３…閉鎖板
４…プルリング
６…キャップ
８…取付部
９…開口予定部
１０…整流板
１１…開口外周板部
１２…支持体
１３…連結帯
１７…保持手段
２１…液体容器
２２…相手容器
２３…相手容器の口部
２４…差し込み空間部
【図１】
0006670464.tif 000002
【図２】
0006670464.tif 000003
【図３】
0006670464.tif 000004
【図４】
0006670464.tif 000005
【図５】
0006670464.tif 000006
【図６】
0006670464.tif 000007
【図７】
0006670464.tif 000008
【図８】
0006670464.tif 000009
【図９】
0006670464.tif 000010
【図１０】
0006670464.tif 000011
【図１１】
0006670464.tif 000012
【図１２】
0006670464.tif 000013